(57)【特許請求の範囲】
【請求項１】
監視対象の状態を表現する監視画面の試験を支援する監視画面試験支援装置であって、
監視対象に対する入力を模擬した試験項目を実行する試験項目自動実行手段と、
前記試験項目に応じて前記監視画面の画像である監視画像を生成する監視画面生成手段と、
前記試験項目実行前後の前記監視画像を前記試験項目に紐付けて記憶する画面画像記憶手段と、
前記画面画像記憶手段に記憶された前記監視画像に基づいて試験結果情報を作成する試験結果作成手段とを備え、
前記試験結果作成手段は、
試験結果曖昧比較手段と、
試験結果が同一である前記試験項目の試験結果情報を集約する試験結果集約手段とを備え、
前記試験結果曖昧比較手段は、試験項目実行前の前記監視画像が同一である複数の試験項目間における試験結果の異同を判定条件に従い判定し、
前記判定条件は、前記試験項目実行前後の前記監視画像の変化領域が同一である第１条件と、前記試験項目実行前後の前記監視画像の変化領域が同一かつ当該変化領域の表示色が同一である第２条件と、前記試験項目実行後の前記監視画像が同一である第３条件のいずれかを含み、
前記試験結果曖昧比較手段は、外部入力に応じて前記判定条件として前記第１条件、前記第２条件、前記第３条件のいずれかを選択し、当該判定条件に従い判定を行う、
監視画面試験支援装置。
【請求項２】
試験結果が同一になる試験項目の組み合わせを示した試験結果パターンを格納する試験結果パターン情報格納手段をさらに備え、
前記試験結果作成手段は、試験結果の異同が前記試験結果パターンに該当する複数の前記試験項目がある場合には、当該試験結果パターンの情報を前記試験結果情報に付加する試験結果パターン情報付加手段をさらに備える、
請求項１に記載の監視画面試験支援装置。
【発明の詳細な説明】
【技術分野】
【０００１】
この発明は、監視制御システムの監視画面の変化から試験結果を判定する試験（以下、画面試験と呼ぶ）において、試験結果の確認作業を支援する技術に関する。
【背景技術】
【０００２】
従来、プラント等の監視制御システムにおける画面試験装置は、予め実施する各試験項目に対して正解画像を用意し、正解画像と試験項目実施後の画面画像を比較していた。上記の手法で試験結果の確認を自動で行う事により、試験結果の確認作業の負荷を軽減することが可能であった（例えば特許文献１）。
【先行技術文献】
【特許文献】
【０００３】
【特許文献１】特開２０１１−７５８２４号公報
【発明の概要】
【発明が解決しようとする課題】
【０００４】
しかし、初回試験のように正解画像を用意することが困難な試験項目を実施する場合には、特許文献１の手法では自動試験を行う事が出来ず、試験結果確認作業の負荷が高いままである、という問題があった。
【０００５】
本発明は上述の問題に鑑み、正解画像を予め用意できない試験項目に対しても試験結果確認作業の負荷を軽減する、監視制御システムの監視画面試験支援装置の提供を目的とする。
【課題を解決するための手段】
【０００６】
本発明の監視画面試験支援装置は、監視対象の状態を表現する監視画面の試験を支援する監視画面試験支援装置であって、監視対象に対する入力を模擬した試験項目を実行する試験項目自動実行手段と、試験項目に応じて監視画面の画像である監視画像を生成する監視画面生成手段と、試験項目実行前後の監視画像を試験項目に紐付けて記憶する画面画像記憶手段と、画面画像記憶手段に記憶された監視画像に基づいて試験結果情報を作成する試験結果作成手段とを備え、試験結果作成手段は、試験結果曖昧比較手段と、試験結果が同一である試験項目の試験結果情報を集約する試験結果集約手段とを備え、試験結果曖昧比較手段は、試験項目実行前の監視画像が同一である複数の試験項目間における試験結果の異同を判定条件に従い判定し、判定条件は、試験項目実行前後の監視画像の変化領域が同一である第１条件と、試験項目実行前後の監視画像の変化領域が同一かつ当該変化領域の表示色が同一である第２条件と、試験項目実行後の監視画像が同一である第３条件のいずれかを含み、試験結果曖昧比較手段は、外部入力に応じて判定条件として第１条件、第２条件、第３条件のいずれかを選択し、当該判定条件に従い判定を行う。
【発明の効果】
【０００７】
本発明の監視画面試験支援装置は、画面画像記憶手段に記憶された監視画像に基づいて試験結果情報を作成する試験結果作成手段とを備え、試験結果作成手段は、試験結果曖昧比較手段と、試験結果が同一である試験項目の試験結果情報を集約する試験結果集約手段とを備え、試験結果曖昧比較手段は、試験項目実行前の監視画像が同一である複数の試験項目間における試験結果の異同を判定条件に従い判定し、判定条件は、試験項目実行前後の監視画像の変化領域が同一である第１条件と、試験項目実行前後の監視画像の変化領域が同一かつ当該変化領域の表示色が同一である第２条件と、試験項目実行後の監視画像が同一である第３条件のいずれかを含み、試験結果曖昧比較手段は、外部入力に応じて判定条件として第１条件、第２条件、第３条件のいずれかを選択し、当該判定条件に従い判定を行う。したがって、ユーザーの用途に応じた試験結果の集約を行う事が出来る。
【図面の簡単な説明】
【０００８】
【図１】実施の形態１の監視画面試験支援装置の構成を示すブロック図である。
【図２】実施の形態１の試験項目情報を例示する図である。
【図３】実施の形態１の試験結果集約手段が作成する試験結果情報を例示する図である。
【図４】試験結果パターンを例示する図である。
【図５】実施の形態１の試験結果作成手段が作成する試験結果情報を例示する図である。
【図６】実施の形態１の監視画面試験支援装置の動作を示すフローチャートである。
【図７】実施の形態１の監視画面試験支援装置の動作を示すフローチャートである。
【図８】実施の形態１の監視画面試験支援装置の動作を示すフローチャートである。
【図９】実施の形態１の監視画面試験支援装置の動作を示すフローチャートである。
【図１０】実施の形態１の試験結果比較手段と、実施の形態２の試験結果曖昧比較手段とを比較する図である。
【図１１】実施の形態２の監視画面試験支援装置の構成を示すブロック図である。
【図１２】実施の形態２の監視画面試験支援装置の比較レベル１における動作を示すフローチャートである。
【図１３】実施の形態２の監視画面試験支援装置の比較レベル１における試験結果を示す図である。
【図１４】実施の形態２の監視画面試験支援装置の比較レベル２における動作を示すフローチャートである。
【図１５】実施の形態２の監視画面試験支援装置の比較レベル１における試験結果を示す図である。
【図１６】実施の形態１の監視画面試験支援装置のハードウェア構成図である。
【発明を実施するための形態】
【０００９】
＜Ａ．実施の形態１＞
＜Ａ−１．構成＞
本実施の形態の監視画面試験支援装置は、プラント等の制御対象を監視する画面（監視画面）の画面試験結果を適宜集約して表示することにより、目視による試験結果の確認作業の負担を軽減するものである。
【００１０】
図１は、本実施の形態の監視画面試験支援装置の構成を示すブロック図である。監視画面試験支援装置は、監視画面情報格納手段１、監視画面生成手段２、画面画像記憶手段３、画面画像記憶情報格納手段４、試験項目情報格納手段５、試験結果パターン情報格納手段６、試験項目自動実行手段７、試験結果作成手段８、および表示手段９を備えている。また試験結果作成手段８は、試験結果比較手段８ａ、試験結果集約手段８ｂ、試験結果パターン情報付加手段８ｃ、および試験結果情報格納手段８ｄを備えている。
【００１１】
監視画面情報格納手段１は監視画面毎に複数の監視画面情報を格納する。監視画面情報は、ボタンやアイコン画像といった描画部品の表示位置座標や、描画部品に割り付いた監視対象の情報等を含んでおり、それぞれ一意の監視画面ＩＤによって識別される。
【００１２】
監視画面生成手段２は、監視画面情報格納手段１から読み込んだ監視画面情報に基づいて監視画面を生成する。また、試験項目自動実行手段７からの入力を受けて監視画面を変更する。ここで試験項目自動実行手段７からの入力とは、例えば描画部品に割り付いた監視対象に関する試験データの送信や、監視画面上のボタン等の描画部品に対するボタン押下やテキスト入力等の操作が該当する。これらの情報を受けた監視画面生成手段２は、例えば描画部品の色の変更や形の変形、アイコン画像の変更、表示文字列の変更等を行う。
【００１３】
試験項目情報格納手段５は、試験項目情報を格納する。試験項目情報は、図２に例示するように、試験対象となる監視画面ＩＤ、大分類情報、中分類情報、小分類情報、および試験手順情報を含み、それぞれ一意の試験項目ＩＤによって識別される。図２では、表中の一行が一つの試験項目情報を表す。試験手順情報とは、具体的な試験内容を示す情報で、例えば描画部品に割り付いている監視対象に対して「試験データ３．０送信」や、監視画面上のボタンやテキストボックス等の描画部品に対して「ボタンＡ押下」や「テキストボックスＢに「ｈｏｇｅ」入力」、あるいはこれらを組み合わせたもの等が該当する。小分類情報とは、試験手順情報を試験の目的に基づき抽象化した情報で、例えば「上限値試験」や「管理者ユーザ試験」等が該当する。中分類情報とは、小分類情報をより上位概念化したものであり、例えば小分類情報「正常値試験」、「上限値試験」、「上限値異常試験」、「下限値試験」、「下限値異常試験」は、中分類情報「上下限試験」にまとめられる。また、小分類情報「管理者ユーザ試験」、「一般ユーザ試験」は、中分類情報「ユーザ認証試験」にまとめられる。大分類情報は、中分類情報を試験対象に関してまとめた、すなわち試験対象を示す情報であり、例えば「監視対象ポンプＡの試験」、あるいは「画面部品ユーザ認証用部品群の試験」等が該当する。
【００１４】
試験項目自動実行手段７は、試験項目情報格納手段５から試験項目情報を取り出し、試験手順情報の内容を実行する。
【００１５】
画面画像記憶手段３は、監視画面生成手段２によって生成された監視画面の情報を記憶する。試験項目実施前と試験項目実施後の監視画面を試験項目ＩＤと紐付け、画面画像記憶情報として記憶する。
【００１６】
画面画像記憶情報格納手段４は、画面画像記憶手段３が記憶した画面画像記憶情報を格納する。画面画像記憶情報格納手段４は複数の画面画像記憶情報を格納し、各画面画像記憶情報は、画面画像記憶手段３によって紐付けられた試験項目ＩＤにより一意に識別される。
【００１７】
試験結果比較手段８ａは、画面画像記憶情報格納手段４に格納された画面画像記憶情報から、試験項目実施前の画面画像同士と試験項目実施後の画面画像同士の両方が等しい試験項目の試験結果を、同じ試験結果と判定する。
【００１８】
試験結果集約手段８ｂは、試験結果比較手段８ａによって同じ試験結果と判定された複数の試験項目情報を集約した試験結果情報を作成する。図３（ａ）は試験結果集約手段８ｂによる集約前の試験結果情報、図３（ｂ）は試験結果集約手段８ｂにより集約された試験結果情報を示している。図３（ａ）に示すように、試験項目ＩＤ１〜ＩＤ３では、試験項目実施前の画面画像同士と試験項目実施後の画面画像同士が共に等しい。そこで試験結果集約手段８ｂは、これらの試験項目を一つに集約した試験結果情報を作成する（図３（ｂ））。試験結果集約手段８ｂは、こうした試験結果情報の集約を中分類情報ごとに行い、試験結果情報格納手段８ｄに格納する。
【００１９】
試験結果パターン情報格納手段６は、試験結果が同一になる試験項目の組み合わせを示した複数の試験結果パターン情報を格納する。試験結果パターン情報は、試験結果パターン名と、試験結果が同じになる複数の小分類情報の組み合わせを含む。以下に、図２の中分類情報「上下限試験」を例にして、具体的に説明する。中分類情報「上下限試験」には、５つの小分類情報「正常値試験」、「上限値試験」、「上限値異常試験」、「下限値試験」、「下限値異常試験」が含まれる。このとき、試験結果のパターンとして、例えば図４（ａ）に示すように正常値試験、上限値試験、下限値試験が同じ試験結果で、上限値異常試験と下限値異常試験が同じ試験結果とする試験結果パターン名「正常値・異常値２色分けパターン」が考えられる。また、図４（ｂ）に示すように正常値試験、上限値試験、下限値試験が同じ試験結果で、上限値異常試験と下限値異常試験が異なる試験結果となる試験結果パターン名「正常値・上限異常値・下限異常値３色分けパターン」が考えられる。こうした試験結果パターン情報が試験結果パターン情報格納手段６に格納される。ここでは同じ試験結果となる小分類情報の組み合わせのみを考慮し、画面画像の内容そのものは考慮しない。
【００２０】
試験結果パターン情報付加手段８ｃは、試験結果情報格納手段８ｄに格納されている試験結果情報に対して、中分類情報毎に合致する試験結果パターン情報を試験結果パターン情報格納手段６で検索し、合致する試験結果パターン情報の試験結果パターン名を試験結果に付加する。いずれの試験結果パターン情報にも合致しない場合は、何も情報を付加しないか、あるいは合致しなかった旨を付加する。以上の処理が行われた試験結果情報は、再び試験結果情報格納手段８ｄに格納される。この段階で試験結果情報は、試験項目ＩＤ、大分類情報、中分類情報、小分類情報、試験手順、試験結果パターン情報、および画面画像記憶情報を含んでいる。この試験結果情報は、例えば図５のような表形式で表示手段９に出力され、表示される。
【００２１】
図１６は、本実施の形態の監視画面試験支援装置を実現するハードウェア構成図である。監視画面試験支援装置は、パーソナルコンピュータ１２と、キーボード１６と、マウス１７と、ディスプレイ１８により実現する。キーボード１６とマウス１７は入力装置として、ディスプレイ１８は表示装置として、それぞれパーソナルコンピュータ１２に接続される。パーソナルコンピュータ１２は、演算処理装置としてのＣＰＵ１３と、記憶装置としてのメモリ１４、ハードディスクドライブ１５を備える。
【００２２】
図１に示した監視画面試験支援装置の各構成要素中、監視画面情報格納手段１、画面画像記憶情報格納手段４、試験項目情報格納手段５及び試験結果パターン情報格納手段６はメモリ１４あるいはハードディスクドライブ１５に搭載される。また、監視画面生成手段２、画面画像記憶手段３、試験項目自動実行手段７及び試験結果作成手段８はプログラムとしてメモリ１４あるいはハードディスクドライブ１５に格納され、ＣＰＵ１３で実行される。表示手段９は、例えばディスプレイ１８に相当する。
【００２３】
＜Ａ−２．動作＞
図６に示すフローチャートに沿って、本実施の形態の監視画面試験支援装置の動作を説明する。まず、試験項目自動実行手段７が、試験項目情報格納手段５から試験項目情報を取り出して試験項目を実行する（ステップＳ１０００）。次に、試験結果比較手段８ａと試験結果集約手段８ｂが、試験項目の実行の結果作成された画面画像記憶情報を用いて、試験結果を集約する（ステップＳ２０００）。そして、試験結果パターン情報付加手段８ｃが、集約された試験結果に対して試験結果パターン情報格納手段６から合致する試験結果パターン情報を付加する（ステップＳ３０００）。その後、試験結果作成手段８が、試験結果パターン情報が付加された試験結果を例えば表示手段９に出力する（ステップＳ４０００）。
【００２４】
以下に、図６中のステップＳ１０００の試験項目自動実行処理、ステップＳ２０００の試験結果集約処理、ステップＳ３０００の試験結果パターン情報付加処理のそれぞれにおける具体的な動作を説明する。
【００２５】
図７は、試験項目自動実行処理（図６のステップＳ１０００）の詳細を示すフローチャートである。まず、試験項目自動実行手段７が試験項目情報格納手段５から試験項目情報を読み込み、監視画面生成手段２に試験対象の監視画面ＩＤを、そして画面画像記憶手段３に試験項目ＩＤを与える（ステップＳ１１００）。監視画面生成手段２は、試験項目自動実行手段７から与えられた監視画面ＩＤに対応する監視画面情報を監視画面情報格納手段１から取り出し、監視画面を生成する（ステップＳ１２００）。次に、ステップＳ１２００にて生成された監視画面を、画面画像記憶手段３が試験項目実施前の画面画像として記憶し、試験項目自動実行手段７から与えられた試験項目ＩＤと紐付けて画面画像記憶情報格納手段４に格納する（ステップＳ１３００）。
【００２６】
次に、試験項目自動実行手段７が、ステップＳ１１００で読み込んだ試験項目情報の試験手順の内容を実行する（ステップＳ１４００）。監視画面生成手段２は、実行された試験手順の内容に応じて、ステップＳ１２００で生成した監視画面を変更する（ステップＳ１５００）。但し、実行された試験手順の内容によって監視画面の状態が影響を受けない場合には、監視画面を変更しない。次に、画面画像記憶手段３がステップＳ１５００の処理を終えた監視画面を試験項目実施後の画面画像として記憶し、試験項目自動実行手段７から与えられた試験項目ＩＤと紐付けて画面画像記憶情報格納手段４に格納する（ステップＳ１６００）。次に、試験項目情報格納手段５に未処理の試験項目情報が存在するかどうかを判断し（ステップＳ１７００）、存在する場合はステップＳ１１００からステップＳ１７００までの処理を繰り返す。存在しない場合は処理を終了する。
【００２７】
図８は試験結果作成手段８における試験結果集約処理（図６のステップＳ２０００）の詳細を示すフローチャートである。試験結果作成手段８は、まず試験項目情報格納手段５から試験項目情報を中分類情報単位で読み込む（ステップＳ２１００）。さらに、読み込んだ各試験項目情報の試験項目ＩＤに対応する画面画像記憶情報を画面画像記憶情報格納手段４から読み込む（ステップＳ２２００）。
【００２８】
次に、試験結果比較手段８ａにおいて、読み込んだ画面画像記憶情報の比較を行う（ステップＳ２３００）。ここでは、まず試験項目実施前の画面画像に関して、各試験項目情報間で比較を行う。そして、試験項目実施前の画面画像が等しい試験項目情報同士については、さらに試験項目実施後の画面画像を比較する。その結果、試験項目実施前後で共に画面画像が等しい試験項目を、同一の試験結果と判定する。
【００２９】
続いて試験結果集約手段８ｂが、試験結果比較手段８ａで同一の試験結果と判定された試験項目の試験項目情報を集約する（ステップＳ２４００）。さらに、集約した結果と、読み込んだ試験項目情報の試験項目ＩＤ、大分類情報、中分類情報、小分類情報、試験手順、試験結果パターン情報と、読み込んだ画面画像記憶情報を合わせて試験結果情報を作成し、これを試験結果情報格納手段８ｄに格納する（ステップＳ２５００）。試験結果作成手段８は、試験項目情報格納手段５に未だ読み込んでいない中分類情報が存在するかどうか判断し（ステップＳ２６００）、存在する場合はステップＳ２１００からステップＳ２６００までの処理を繰り返す。存在しない場合は処理を終了する。
【００３０】
図９は、試験結果パターン情報付加手段８ｃにおける試験結果パターン情報付加処理（図６のステップＳ３０００）を示すフローチャートである。試験結果パターン情報付加手段８ｃは、まず試験結果情報格納手段８ｄから中分類情報単位で試験結果情報を読み込む（ステップＳ３１００）。次に、読み込んだ試験結果情報の集約パターンと合致する試験結果パターン情報を、試験結果パターン情報格納手段６に格納された試験結果パターン情報の中から検索する（ステップＳ３２００）。合致する試験結果パターン情報が存在する場合は、その試験結果パターン名を試験結果情報に付加する（ステップＳ３３００）。存在しない場合は、試験結果情報に何も付加しないか、合致する試験結果パターン情報が無い旨を付加する（ステップＳ３４００）。次に、試験結果情報格納手段８ｄに未処理の中分類情報が存在するかどうかを判断し（ステップＳ３５００）、存在する場合はステップＳ３１００からステップＳ３５００までの処理を繰り返す。存在しない場合は処理を終了する。
【００３１】
本実施の形態の監視画面試験支援装置では、試験結果パターン情報格納手段６に予め格納した試験結果パターン情報を、試験結果パターン情報付加手段８ｃが試験結果情報に付加することについて説明した。しかし、試験結果パターン情報格納手段６と試験結果パターン情報付加手段８ｃは必須の構成要素ではない。本実施の形態の監視画面試験支援装置は、同一の試験結果を集約することによって、目視による試験結果の確認作業の負担を軽減する効果を奏するものである。しかしながら、試験結果パターン情報を試験結果情報に付加すれば、いずれのパターンにも合致しない試験結果を重点的に確認することによって、さらに試験結果の確認を容易にすることが出来る。
【００３２】
＜Ａ−３．効果＞
本実施の形態の監視画面試験支援装置は、監視対象に対する入力を模擬した試験項目を実行する試験項目自動実行手段７と、試験項目に応じて監視画面の画像である監視画像を生成する監視画面生成手段２と、試験項目実行前後の監視画像を試験項目に紐付けて記憶する画面画像記憶手段３と、画面画像記憶手段に記憶された監視画像に基づいて試験結果情報を作成する試験結果作成手段８とを備える。そして、試験結果作成手段８は、複数の試験項目間で試験項目実行前後の監視画像を比較し、これらが共に同一である場合に試験結果が同一であると判定する試験結果比較手段８ａと、試験結果が同一である試験項目の試験結果情報を集約する試験結果集約手段８ｂとを備える。こうして集約した試験結果情報をユーザーに提示することにより、人が目視で試験結果を確認する際の負担を軽減することが出来る。例えば、同一の試験結果となる複数の試験項目が把握しやすくなるため、正しい動作であれば同じ試験結果になってはいけない試験項目、あるいは同じ試験結果になるべき試験項目の確認が容易になる。
【００３３】
また、本実施の形態の監視画面試験支援装置は、試験結果が同一になる試験項目の組み合わせを示した試験結果パターンを格納する試験結果パターン情報格納手段６を備え、試験結果作成手段８は、試験結果の異同が試験結果パターンに該当する複数の試験項目がある場合には、当該試験結果パターンの情報を試験結果情報に付加する試験結果パターン情報付加手段８ｃを備えるので、ユーザはいずれのパターンにも合致しない試験結果を重点的に確認することによって、さらに試験結果の確認を容易にすることが出来る。
【００３４】
＜Ｂ．実施の形態２＞
＜Ｂ−１．構成＞
実施の形態１の監視画面試験支援装置は、試験項目実施前の画面画像同士が同一で、かつ試験項目実施後の画面画像同士が同一である試験項目の試験結果を同一と判定する。しかし、画面画像の比較を曖昧に行うことで、より多くの試験結果を集約することができる。
【００３５】
図１０は、試験項目Ａ〜Ｅを実施する前の画面画像と、実施後の画面画像を示している。監視画面はテキストボックスを表示しており、その色とその中の文字列が試験によって変化する。図１０（ａ）に示すように、試験項目Ａ〜Ｅの実施前の画面画像はいずれも同じである。そして、試験項目Ａ，Ｂ，Ｄの実施後の監視画面は、いずれもテキストボックスの色が同じ色に変化している。しかし、その中の文字列は夫々異なるので、実施の形態１の試験結果比較手段８ａによれば、これらの試験結果は非同一と判定される。
【００３６】
しかしながら、実施の形態２の後述する一比較手法では、テキストボックスの色が同じ色に変化したことをもって試験項目Ａ，Ｂ，Ｄの試験結果を同一であると判定する。
【００３７】
図１１は、実施の形態２による監視画面試験支援装置の構成を示すブロック図である。この図で、図１に示す実施の形態１の監視画面試験支援装置の構成要素と同一の構成要素には同一の参照符号を付している。実施の形態２の監視画面試験支援装置は、実施の形態１の試験結果比較手段８ａに代えて試験結果曖昧比較手段８ｅを備え、さらに入力手段１０を備えている。これら以外の構成は実施の形態１の監視画面試験支援装置と同様である。
【００３８】
試験結果曖昧比較手段８ｅは、試験結果曖昧比較手段８ｅにおける比較レベルを、入力手段１０から入力されたデータを基に設定する比較レベル設定手段８ｆを備える。試験結果曖昧比較手段８ｅは、比較レベル設定手段８ｆで設定された比較レベルに応じて、試験結果の比較手法を切り替える。以下に、比較レベル１〜３について説明する。
【００３９】
＜Ｂ−２．動作＞
図１２は、比較レベル１における試験結果作成手段１１の試験結果作成処理を示すフローチャートである。試験結果作成手段１１は、比較する２つの試験項目について、それらの試験項目ＩＤに対応する画面画像記憶情報を画面画像記憶情報格納手段４から読み込む（ステップＳ４１００）。次に、試験結果曖昧比較手段８ｅは、ステップＳ４１００で読み込んだ画面画像記憶情報から試験項目実施前の画面画像が２つの試験項目情報間で等しいかどうかを判別し（ステップＳ４２００）、等しくなければ試験結果を非同一と判定して処理を終了する。
【００４０】
ステップＳ４２００で等しい場合は、それぞれの試験項目について実施前の監視画像と実施後の監視画像とを比較し、変化した領域の座標を抽出する（ステップＳ４３００）。そして、試験結果曖昧比較手段８ｅは、変化領域の座標が２つの試験項目間で等しいか否かを判別する（ステップＳ４４００）。変化領域の座標が等しくなければ、試験結果を非同一と判定して処理を終了する。等しい場合には試験結果を同一と判定し、試験結果集約手段８ｂが当該２つの試験項目の試験結果を集約する。
【００４１】
ここでは、変化領域の座標の異同のみを考慮して試験結果の同一性を判断しているので、変化領域が同一であれば変化内容が異なっていても、同一の試験結果と判定される。そこで試験結果集約手段８ｂは、変化領域の座標を全て赤色などの特定色に変更した画面画像を作成し、これを集約後の試験項目実施後の画面画像として試験結果情報格納手段８ｄに格納する（ステップＳ４５００）。
【００４２】
次に、図１３を用いて比較レベル１による試験結果の集約例を説明する。図１３（ａ）は、試験項目Ａ〜Ｃを実施する前の画面画像と、実施後の画面画像を示している。ここで試験項目Ａ，Ｂでは、共に画面右下のテキストボックスの色が変化している。試験項目Ｃも画面右下のテキストボックスの色が変化しているが、左上のテキストボックスの色も変化している点が試験項目Ａ，Ｂとは異なる。
【００４３】
試験結果曖昧比較手段８ｅは、変化領域が一致する試験項目Ａ，Ｂの試験結果を同一と判定し、図１３（ｂ）に示すように試験結果を集約する。試験項目Ａ，Ｂでは試験項目実施後のテキストボックスの色が異なるので、当該テキストボックスを特定色に変更した画面画像を試験項目実施後の画面画像としている。
【００４４】
次に、比較レベル１よりも厳密に同一性を判断する比較レベル２について説明する。図１４は、比較レベル２における試験結果作成手段１１の試験結果作成処理を示すフローチャートである。試験結果作成手段１１は、比較する２つの試験項目について、それらの試験項目ＩＤに対応する画面画像記憶情報を画面画像記憶情報格納手段４から読み込む（ステップＳ５１００）。次に、読み込んだ画面画像記憶情報から、試験結果曖昧比較手段８ｅが比較レベル１で試験結果が同一と判定されるか否かを判別する（ステップＳ５２００）。比較レベル１で試験結果非同一と判定された場合は、比較レベル２でも同様に試験結果非同一と判定し、処理を終了する。比較レベル１で試験結果が同一であると判定された場合は、各試験項目について、試験項目実施前の画面画像と試験項目実施後の画面画像の間の変化内容と、その変化内容に係る座標の個数を調べる（ステップＳ５３００）。
【００４５】
次に、試験結果曖昧比較手段８ｅは、最も座標の個数が多い変化内容が２つの試験項目間で等しいか否かを判断し（ステップＳ５４００）、等しくなければ試験結果非同一と判定して処理を終了する。等しい場合は、試験結果を同一と判定し、試験結果集約手段８ｂが試験結果を集約する。
【００４６】
ここでは、同一の変化内容に係る座標の個数が同一でなくても試験結果が同一と判断され得るので、例えばテキストボックスの色は同じで中の文字列が異なっていても試験結果は同一であると判断される。そこで、試験結果集約手段８ｂは変化した座標を一括して個数が最も多かった変化内容の変化後の色に変更した画面画像を作成する（ステップＳ５５００）。例えば、白色から灰色へ変化した座標の個数が最も多い場合は、変化した座標を一括して灰色に変更した画面画像を作成する。こうして作成した画面画像は、集約後の試験項目実施後の画面画像として試験結果情報格納手段８ｄに格納される。
【００４７】
図１５を用いて、図１４のステップＳ５３００からステップＳ５５００の処理をより具体的に説明する。図１５（ａ）において、試験項目Ａ，Ｂの実施前の画面画像を共に画像１とし、試験項目Ａの実施後の画面画像を画像２とし、試験項目Ｂの実施後の画面画像を画像３とする。以下、試験項目Ａ，Ｂの試験結果の異同の判定手順について説明する。
【００４８】
まず、画像１と画像２の間で変化した各座標について変化内容（色の変化パターン）を調べ、変化内容ごとに個数を調べる。ここで、白色から灰色に変わった座標が１１２４個で、白色から黒色に変わった座標が３５個であるとする。同様に、画像１と画像３の間でも変化内容と個数を調べる。ここで、白色から灰色に変わった座標が１１３０個で、白色から黒色に変わった座標が２９個であるとする。試験項目Ａ，Ｂ共に、白色から灰色へ変化した座標の個数が最も多いので、試験項目Ａ，Ｂの試験結果は同一であると判定する。ここで、白色から灰色へ変化した座標の個数は試験項目Ａ，Ｂで同一ではないが、それは考慮しない。
【００４９】
なお、座標の個数が最も多い変化内容を比較するだけでなく、必要に応じて２番目に多かった変化内容や、さらには３番目に多かった変化内容まで比較することにより、比較の厳密さを向上させることが出来る。
【００５０】
そして、試験結果集約手段８ｂが試験項目Ａ，Ｂの試験結果を集約する。ここでは、図１５（ｂ）に示すように、試験項目Ａ（あるいは試験項目Ｂ）の実施により変化した座標を一括して灰色に変更した画像を作成し、これを試験項目Ａ，Ｂ実施後の画面画像とする。
【００５１】
次に、比較レベル３について説明する。比較レベル３では、試験項目実施前の画面画像同士と、試験項目実施後の画面画像同士の両方が同じ場合に、試験結果を同一と判定する。すなわち、実施の形態１の試験結果比較手段８ａと同じ手法で比較する。
【００５２】
試験結果曖昧比較手段８ｅは、以上に説明した比較レベル１〜３のいずれかにより試験項目間の試験結果を比較し、その異同を判断する。試験結果集約手段８ｂは、試験項目情報の中分類情報毎に、試験結果曖昧比較手段８ｅによって同じ試験結果と判定された複数の試験項目情報を集約した試験結果情報を作成し、試験結果情報格納手段８ｄに格納する。
【００５３】
なお、入力手段１０は図１６中のキーボード１６、あるいはマウス１７に相当する。
【００５４】
その他の構成要素、動作については実施の形態１と同様である。
【００５５】
＜Ｂ−３．効果＞
本実施の形態の監視画面試験支援装置は、試験結果比較手段に代えて試験結果曖昧比較手段８ｅを備え、試験結果曖昧比較手段８ｅは、試験項目実行前の監視画像が同一である複数の試験項目間における試験結果の異同を判定条件に従い判定し、当該判定条件は、試験項目実行前後の監視画像の変化領域が同一である第１条件（比較レベル１）と、試験項目実行前後の監視画像の変化領域が同一かつ当該変化領域の表示色が同一である第２条件（比較レベル２）と、試験項目実行後の監視画像が同一である第３条件（比較レベル３）のいずれかを含む。比較レベル３は実施の形態１と同様の比較手法であるが、比較レベル１や比較レベル２によれば、より多くの試験結果を集約することが可能になる。そこで、例えばテキストボックス内の文字列を無視してテキストボックス全体の色の変化のみに着目したい場合など、大まかな変化内容だけを試験結果として確認したい場合に、試験結果確認作業のコスト削減を可能にする。
【００５６】
また、試験結果曖昧比較手段は、外部入力に応じて判定条件として比較の厳密度が異なる比較レベル１、比較レベル２、比較レベル３のいずれかを選択し、当該比較レベルに従い試験項目間の試験結果の異同を判断するので、ユーザーの用途に応じた試験結果の集約を行う事が出来る。
【符号の説明】
【００５７】
１  監視画面情報格納手段、２  監視画面生成手段、３  画面画像記憶手段、４  画面画像記憶情報格納手段、５  試験項目情報格納手段、６  試験結果パターン情報格納手段、７  試験項目自動実行手段、８，１１  試験結果作成手段、８ａ  試験結果比較手段、８ｂ  試験結果集約手段、８ｃ  試験結果パターン情報付加手段、８ｄ  試験結果情報格納手段、８ｅ  試験結果曖昧比較手段、８ｆ  比較レベル設定手段、９  表示手段、１０  入力手段、１２  パーソナルコンピュータ、１３  ＣＰＵ、１４  メモリ、１５  ハードディスクドライブ、１６  キーボード、１７  マウス、１８  ディスプレイ。
【図１】
0005669770.tif 000002
【図２】
0005669770.tif 000003
【図３】
0005669770.tif 000004
【図４】
0005669770.tif 000005
【図５】
0005669770.tif 000006
【図６】
0005669770.tif 000007
【図７】
0005669770.tif 000008
【図８】
0005669770.tif 000009
【図９】
0005669770.tif 000010
【図１０】
0005669770.tif 000011
【図１１】
0005669770.tif 000012
【図１２】
0005669770.tif 000013
【図１３】
0005669770.tif 000014
【図１４】
0005669770.tif 000015
【図１５】
0005669770.tif 000016
【図１６】
0005669770.tif 000017